(57)【要約】      （修正有）【課題】主として、柔道着の内側に着て、受身の練習や稽古を行う場合に使用されるアンダーウェアを提供する。【解決手段】アンダーウエアに、受身の動作の際にその着用者の身体の一部がマット又は畳に接地する受身接地部を設け、この受身接地部にクッション材を重設した受身練習用アンダーウエアである。受身からくる衝撃は前記クッション材によって吸収される結果、着用者は受身からくるダメージを軽減することができる。この受身練習用アンダーウエアを使用すれば、何人でも、正しい受身を楽々習得することができる。特に、初心者に適している。【選択図】図１
0003175831.tif 000002
【実用新案登録請求の範囲】
【請求項１】
アンダーウエアに、受身の動作の際にその着用者の身体の一部がマット又は畳に接地する受身接地部を設け、この受身接地部にクッション材を重設したことを特徴とする受身練習用アンダーウエア。
【請求項２】
前記受身接地部を袋部とし、この袋部にクッション材を封入したことを特徴とする請求項１の受身練習用アンダーウエア。
【請求項３】
前記アンダーウエアが上着であるとともに前記袋部がこの上着における肩袋部及び肘袋部であることを特徴とする請求項２の受身練習用アンダーウエア。
【請求項４】
前記アンダーウエアがパンツであるとともに前記袋部がこのパンツにおける側腰袋部及び後腰袋部であることを特徴とする請求項２の受身練習用アンダーウエア。
【考案の詳細な説明】
【技術分野】
【０００１】
この考案は受身練習用アンダーウエアに関し、主として、柔道着の内側に着て、受身の練習や稽古を行う場合に使用される。
【背景技術】
【０００２】
柔道等における受身とは、技を掛けられたとき、身体に受けるダメージを軽減するために必要な動作であり、柔道等を始める者は誰もが習得しなければならないが、上達は難しいものといわれている。
【０００３】
このため、受身の中でも技術的に高度と言われている前回り受身について、従来より補助機能付柔道着が考案されている。
【０００４】
この補助機能付柔道着は、図５に示すように、柔道着の上着９０の外面に、前回り受身の際に畳又はマットに対しての着用者Ｍの身体の接地箇所及び設置順序がライン９２，９２状に表示されたものであり、着用者はこの接地ライン９２を意識しながら練習し、正しい前回り受身を習得していた（特開２００９−７４１９１号）。
【０００５】
【特許文献１】特開２００８−８１８５１号公報
【特許文献２】特開２００９−７４１９１号公報
【考案の開示】
【考案が解決しようとする課題】
【０００６】
しかしながら、かかる従来の補助機能付柔道着にあっては、単に、前回り受身における接地箇所及び設置順序をライン状に表示したものにすぎないため、受身からくるダメージを軽減することは殆ど不可能であり、この結果、着用者は正しい受身を習得しにくいという不都合を有した。
【０００７】
この考案の課題はこれらの不都合を解消することである。
【課題を解決するための手段】
【０００８】
この課題を達成するために、この考案に係るア受身練習用アンダーウエにおいては、アンダーウエアに、受身の動作の際にその着用者の身体の一部がマット又は畳に接地する受身接地部を設け、この受身接地部にクッション材を重設したものである。
【０００９】
この場合、前記受身接地部を袋部とし、この袋部にクッション材を封入することもできる。
【００１０】
また、前記アンダーウエアが上着であるとともに前記袋部をこの上着における肩袋部及び肘袋部にすることもできる。
【００１１】
また、前記アンダーウエアをパンツにして前記袋部をこのパンツにおける側腰袋部及び後腰袋部にすることができる。
【考案の効果】
【００１２】
この考案に係る受身練習用アンダーウエアは上記のように構成されているため、即ち、アンダーウエアに、受身の動作の際にその着用者の身体の一部がマット又は畳に接地する受身接地部を設け、この受身接地部にクッション材を重設したため、
受身からくる衝撃は前記クッション材によって吸収される結果、着用者は受身からくるダメージを軽減することができるものである。
【００１３】
よって、この受身練習用アンダーウエアを使用すれば、何人でも、正しい受身を楽々習得することができる。特に、初心者に適しているものである。
【００１４】
この場合、前記受身接地部を袋部とし、この袋部にクッション材を封入すれば、アンダーウエアにクッション材を重設しやすいとともにその耐久性も向上し、更に、クッション材が直接人体に接触しないため着用者にとって違和感がなく使用しやすいものである。
【００１５】
また、また、前記アンダーウエアにして前記袋部をこの上着における肩袋部及び肘袋部にすれば、受身の際の着用者の肩部及び肘部に受けるダメージを軽減することができる。
【００１６】
また、前記アンダーウエアをパンツにして前記袋部をこのパンツにおける側腰袋部及び後腰袋部にすれば、受身の際の着用者の両側腰部及び後腰部に受けるダメージを軽減することができる。
【考案を実施するための最良の形態】
【００１７】
この考案に係る「受身練習用アンダーウエア」は実施するにあたって以下の特徴を有する。
【００１８】
「アンダーウエア」は、着用者が柔道着等胴着の内側に着るための上着、パンツ等が該当する。なお、柔道着等胴着を着用しないで使用することもできる。
【００１９】
「受身接地部」とは、受身の動作の際にその着用者の身体の一部がマット又は畳に接地する部分を覆う「アンダーウエア」の部分をいい、袋状に形成するのが適している。「アンダーウエア」が上着である場合、この袋部はこの上着における肩袋部及び肘袋部等が該当する。また、前記「アンダーウエア」が「パンツ」である場合、この袋部はこのパンツにおける側腰袋部及び後腰袋部等が該当する。
【実施例１】
【００２０】
以下、図面に基づいてこの考案の実施例を説明する。
【００２１】
図１はこの考案に係る受身練習用アンダーウエアの第一実施例の背面図、図２は同側面図、図３は図２におけるIII−III線断面図、図４は同第二実施例の背面斜視図、図５は従来例の背面図である
【００２２】
図１〜図３において、Ａは受身練習用上着（この考案の「受身練習用アンダーウエア」に相当する）、１０はその基本となる上着である。この上着１０は、着用者Ｍに略隙間なくフィットできる弾力性のある通常のトレーニングシャツであり、１１はその胴部、１２，１２は袖部である。
【００２３】
２１，２１は肩袋部（この考案の「袋部」に相当する）であり、前記胴部１１の背面における上端隅（着用者の肩に当たる部分）に設けられている。この肩袋部２１はこの考案の「受身接地部」に該当する。
【００２４】
図３に示すように、２２は当て布であり、前記肩袋部２１おいて前記上着１０の裏側に重ねられ袋状に縫付２３けられている。
【００２５】
３０はクッション材であり、前記肩袋部２１に封入されている。このクッション材３０は発砲弾性樹脂であり、板状をしている。３１は窓部であり、前記クッション材３０の中心部に形成されている。この窓部３１があるため、前記クッション材３０は柔軟性に富み着用者Ｍの肩部に隙間なく密着することができる。なお、前記肩袋部２１内で前記クッション材３０が動かないように、クッション材３０の周縁及び窓部３１内における上着１０と当て布２２の接触面２４は貼着されている。
【００２６】
図１及び図２において、４１，４１は肘袋部（この考案の「袋部」に相当する）であり、前記袖部１１の先端部背面（着用者の肘に当たる部分）に設けられている。この肘袋部４１も「受身接地部」に該当し、前記肩袋部２１同様前記上着１０の裏側に当て布を重ねた状態で袋状に縫付４３けられている。
【００２７】
この肘袋部４１内にも前記肩袋部２１同様クッション材３２が封入されている。このクッション材３２には5本の切り込み３４，３４，…が形成され、この切り込み３４，３４，…は着用者Ｍの肘の延びる方向に一致している。このため、このクッション材３２は着用者Ｍの肘に滑らかに密着することができる。
【００２８】
なお、１４は上着１０の縫い目である。
【００２９】
次に、図４において、Ｂは受身練習用パンツ（この考案の「受身練習用アンダーウエア」に相当する）、５０はその基本となるパンツである。このパンツ５０は着用者Ｍに略隙間なくフィットできる弾力性のある通常のスパッツ状のものである。
【００３０】
６１，６１は側腰袋部（この考案の「袋部」に相当する）であり、前記パンツ５０の側面（着用者の側腰に当たる部分）に設けられている。また、６２は後腰袋部（この考案の「袋部」に相当する）であり、前記パンツ５０の背面（着用者の後腰に当たる部分）に設けられている。これらの側腰袋部６１及び後腰袋部６２はこの考案の「受身接地部」に該当し、前記肘袋部４１同様前記上着１０の裏側に当て布を重ねた状態で袋状に縫付５３けられている。
【００３１】
この側腰袋部６１及び後腰袋部６２内にも前記肘袋部４１同様クッション材６３が封入されている。このクッション材６３にも5本の切り込み６４，６４，…が形成され、この切り込み６４，６４，…は着用者Ｍの下肢の延びる方向に一致している。このため、このクッション材６４は着用者Ｍの腰の形状に滑らかに密着することができる。
【００３２】
なお、５４は前記パンツ５０の縫い目である。
【産業上の利用可能性】
【００３３】
この考案に係る受身練習用アンダーウエアは、受身からくる衝撃はクッション材によって吸収されるため、着用者は受身からくるダメージを軽減することができる。何人でも、正しい受身を楽々習得することができる。特に、初心者に適している。よって、利用可能性は極めて高いものである。
【図面の簡単な説明】
【００３４】
【図１】図１はこの考案に係る受身練習用アンダーウエアの第一実施例の背面図である
【図２】図２は同側面図である
【図３】図３は図２におけるIII−III線断面図である
【図４】図４は同第二実施例の背面斜視図である
【図５】図５は従来例の背面図である
【符号の説明】
【００３５】
Ａ  …  受身練習用上着（受身練習用アンダーウエア）
Ｂ  …  受身練習用パンツ（受身練習用アンダーウエア）
１０  …  上着
１１  …  胴部
１２  …  袖部
１４  …  縫い目
２１  …  肩袋部（袋部）（受身接地部）
２２  …  当て布
２３  …  縫付
２４  …  接触面
３０  …  クッション材
３１  …  窓部
３２  …  クッション材
３４  …  切り込み
４１  …  肘袋部（袋部）（受身接地部）
４３  …  縫付４３
５０  …  パンツ
６１  …  側腰袋部（袋部）（受身接地部）
６２  …  後腰袋部（袋部）（受身接地部）
４３  …  縫付
６３  …  クッション材
６４  …  切り込み
５３  …  縫付
５４  …  縫い目
【図１】
0003175831.tif 000003
【図２】
0003175831.tif 000004
【図３】
0003175831.tif 000005
【図４】
0003175831.tif 000006
【図５】
0003175831.tif 000007